(57)【要約】【課題】安定した包装処理を行う。【解決手段】積載板２の上に積載された平版印刷版の積層束２０に対して、巻き付け部で積載板２の周りに内装紙３０を巻き付けた後、その内装紙３０の短辺部３０Ｓを内側に折り込む。そして、この状態で折り畳み部に搬送し、折り畳み部で内装紙３０の短辺部３０Ｓと長辺部３０Ｌを内側に折り畳んで平版印刷版の積層束２０を内装紙３０で包装する。これにより、巻き付け部から折り畳み部に搬送される間、積載板２に巻き付けられた内装紙３０の姿勢が安定し、巻き付け部で確実に折り畳み処理を行うことができる。【選択図】  図２
2007238146.tif 000002
【特許請求の範囲】
【請求項１】
矩形状の積載板の上に積載された平版印刷版の積層束に対して、巻き付け部で前記積載板の周りに帯状の内装紙を巻き付けた後、折り畳み部に搬送し、該折り畳み部で前記内装紙の短辺部と長辺部を内側に折り畳むことにより、前記平版印刷版を前記内装紙で包装する平版印刷版の包装方法において、
前記巻き付け部で前記積載板の周りに巻き付けられた前記内装紙の短辺部を内側に折り込んだ後、前記折り畳み部に搬送することを特徴とする平版印刷版の包装方法。
【請求項２】
前記巻き付け部において、前記積載板の四隅に柱状のガイド部材を垂直に立て、該ガイド部材で前記内装紙をガイドしながら前記積載板の周りに巻き付けた後、押圧部材で前記内装紙の短辺部を前記ガイド部材に押し当てながら、前記ガイド部材を前記積載板の長辺に沿って移動させることにより、前記内装紙の短辺部を内側に折り込むことを特徴とする請求項１に記載の平版印刷版の包装方法。
【請求項３】
前記積載板に巻き付けられた前記内装紙の長辺部を上方に引っ張り、前記内装紙の長辺部にテンションを与えながら、前記押圧部材で前記内装紙の短辺部が押し当てられた前記ガイド部材を前記積載板の長辺に沿って移動させることにより、前記内装紙の短辺部を内側に折り込むことを特徴とする請求項２に記載の平版印刷版の包装方法。
【請求項４】
矩形状の積載板の上に積載された平版印刷版の積層束に対して、巻き付け部で前記積載板の周りに帯状の内装紙を巻き付けた後、搬送手段で折り畳み部に搬送し、該折り畳み部で前記内装紙の短辺部と長辺部を内側に折り畳むことにより、前記平版印刷版を前記内装紙で包装する平版印刷版の包装装置において、
前記巻き付け部には、前記積載板の周りに巻き付けられた前記内装紙の短辺部を内側に折り込む折り込み手段が備えられていることを特徴とする平版印刷版の包装装置。
【請求項５】
前記折り込み手段は、
前記積載板の四隅に垂直に立てられて、前記内装紙が前記積載板に巻き付けられるようにガイドするとともに、上下及び前記積載板の長辺方向に移動自在に設けられた柱状のガイド部材と、
前記ガイド部材に巻き掛けられた前記内装紙の短辺部を前記ガイド部材に押し当てる押圧部材と、
を備え、前記積載板の四隅に前記ガイド部材を垂直に立て、該ガイド部材で前記内装紙をガイドしながら前記積載板の周りに巻き付けた後、前記押圧部材で前記内装紙の短辺部を前記ガイド部材に押し当てながら、前記ガイド部材を前記積載板の長辺に沿って移動させることにより、前記内装紙の短辺部を内側に折り込むことを特徴とする請求項４に記載の平版印刷版の包装装置。
【請求項６】
前記巻き付け部には、前記積載板に巻き付けられた前記内装紙の長辺部を上方に引っ張り、前記内装紙にテンションを与える引張手段を備え、該引張手段で前記積載板に巻き付けられた前記内装紙の長辺部を上方に引っ張り、前記内装紙の長辺部にテンションを与えながら、前記押圧部材で前記内装紙の短辺部が押し当てられた前記ガイド部材を前記積載板の長辺に沿って移動させることにより、前記内装紙の短辺部を内側に折り込むことを特徴とする請求項５に記載の平版印刷版の包装装置。
【発明の詳細な説明】
【技術分野】
【０００１】
本発明は平版印刷版の包装方法及び装置に係り、特に複数枚の平版印刷版を一括して包装する平版印刷版の包装方法及び装置に関する。
【背景技術】
【０００２】
電子写真製版法を含む近年の製版法では、製版工程の自動化を容易にすべく、感光性印刷版や感熱性印刷版等の平版印刷版が広く用いられている。
【０００３】
平版印刷版は、一般に長方形の薄い板状に形成されており、その表面に形成された感光層又は感熱層に露光、現像、ガム引き等の処理を行うことで印刷用の版が生成される。
【０００４】
このような平版印刷版は、一般に帯状に形成されたアルミニウム板等の支持体の表面に所要の表面処理（たとえば、砂目立て、陽極酸化、シリケート処理、その他化成処理等）を施し、その表面処理が施された面に感光層又は感熱層を塗布形成し、乾燥させた後、所望のサイズに切断することで製造される。
【０００５】
ところで、このように製造される平版印刷版のうち感光性印刷版は、感光性が高く、僅かな可視光波長帯域の光によって露光されても感光層に変化が生じる。このため、製造されてから自動製版機等に装填されるまでの間、遮光して荷扱い（運搬や保管等）する必要がある。感熱性印刷版も当たる光の熱エネルギーによって感熱層が変質したり、反応進行によって感度変化が起こったりするため、遮光して荷扱いすることが好ましい。また、いずれの印刷版も急激な湿度変化や温度変化を受けると、感光層、感熱層に結露が発生し、変質等の不都合が発生するため、防湿して荷扱いすることが好ましい。
【０００６】
このため、平版印刷版は、製造されてから自動製版機等に装填されるまでの間、遮光性及び防湿性を有する内装紙で包装されて荷扱いされている。
【０００７】
図１０は、この平版印刷版の包装例を示す図であり、いわゆるスキッド積みされた平版印刷版を包装する例が示されている。同図に示すように、平版印刷版は、スキッド１の上にセットされた積載板２の上に所定枚数集積され、積層束３の状態で内装紙４に包装される。すなわち、まず、同図（ａ）に示すように、スキッド１の上にセットされた積載板２の上に所定枚数集積され、積層束３とされる。積層束３とされた平版印刷版は、この後、同図（ｂ）及び（ｃ）に示すように、積載板２の周囲に内装紙４が巻き付けられる。そして、その巻き付けられた内装紙４の長辺部４ａと短辺部４ｂとが、同図（ｄ）に示すように、それぞれ内側に折り畳まれ、互いに重なり合った長辺部４ａ、４ｂの先端同士が、同図（ｅ）に示すように、テープ５で止められて包装される（たとえば、特許文献１参照）。
【０００８】
ところで、このようにスキッド積みされた平版印刷版を包装する場合、内装紙の「巻き付け」と「折り畳み」は、それぞれ別々に行われており、巻き付け部で内装紙の巻き付けが行われ、折り畳み部で内装紙の折り畳みが行われていた。すなわち、巻き付け部で内装紙の巻き付けが行われた後、折り畳み部に搬送し、折り畳み部で内装紙の折り畳みが行われていた。
【特許文献１】特開２００５−２９１７４号公報
【発明の開示】
【発明が解決しようとする課題】
【０００９】
しかしながら、従来のように、内装紙の「巻き付け」と「折り畳み」をそれぞれ別々に行うこととすると、積載板に内装紙が巻き付けられた平版印刷版を巻き付け部から折り畳み部に搬送する過程で内装紙が自重で倒れ、折り畳み部で折り畳めなくなるという欠点があった。すなわち、折り畳み部では、通常、内装紙の短辺部を折り畳んだのち長辺部を折り畳むこととしているが、搬送過程で長辺部が倒れると、折り畳み部で正常に折り畳めなくなるという欠点があった。
【００１０】
本発明は、このような事情に鑑みてなされたもので、安定した包装処理を行うことができる平版印刷版の包装方法及び装置を提供することを目的とする。
【課題を解決するための手段】
【００１１】
請求項１に係る発明は、前記目的を達成するために、矩形状の積載板の上に積載された平版印刷版の積層束に対して、巻き付け部で前記積載板の周りに帯状の内装紙を巻き付けた後、折り畳み部に搬送し、該折り畳み部で前記内装紙の短辺部と長辺部を内側に折り畳むことにより、前記平版印刷版を前記内装紙で包装する平版印刷版の包装方法において、前記巻き付け部で前記積載板の周りに巻き付けられた前記内装紙の短辺部を内側に折り込んだ後、前記折り畳み部に搬送することを特徴とする平版印刷版の包装方法を提供する。
【００１２】
請求項１に係る発明によれば、巻き付け部で積載板の周りに内装紙が巻き付けられた後、その内装紙の短辺部が内側に折り込まれる。そして、その内装紙の短辺部が内側に折り込まれた状態で平版印刷版が巻き付け部から折り畳み部に搬送される。このように、あらかじめ巻き付け部で内装紙の短辺部を内側に折り込み、この状態で平版印刷版を折り畳み部に搬送することにより、搬送時における内装紙の姿勢が安定する。これにより、折り畳み部において安定した折り畳み処理を行うことが可能になる。
【００１３】
請求項２に係る発明は、前記目的を達成するために、前記巻き付け部において、前記積載板の四隅に柱状のガイド部材を垂直に立て、該ガイド部材で前記内装紙をガイドしながら前記積載板の周りに巻き付けた後、押圧部材で前記内装紙の短辺部を前記ガイド部材に押し当てながら、前記ガイド部材を前記積載板の長辺に沿って移動させることにより、前記内装紙の短辺部を内側に折り込むことを特徴とする請求項１に記載の平版印刷版の包装方法を提供する。
【００１４】
請求項２に係る発明によれば、内装紙は、積載板の四隅に立てられた柱状のガイド部材にガイドされながら積載板の周りに巻き付けられる。短辺部の折り込みは、このガイド部材を利用して行われる。すなわち、押圧部材によって内装紙の短辺部をガイド部材に押し当てながら、ガイド部材を積載板の長辺に沿って移動させることにより、内装紙の短辺部が内側に折り込まれる。これにより、積載板に巻き付けられた内装紙の短辺部を折り畳み部に搬送する前に効率よく折り込むことができる。
【００１５】
請求項３に係る発明は、前記目的を達成するために、前記積載板に巻き付けられた前記内装紙の長辺部を上方に引っ張り、前記内装紙の長辺部にテンションを与えながら、前記押圧部材で前記内装紙の短辺部が押し当てられた前記ガイド部材を前記積載板の長辺に沿って移動させることにより、前記内装紙の短辺部を内側に折り込むことを特徴とする請求項２に記載の平版印刷版の包装方法を提供する。
【００１６】
請求項３に係る発明によれば、巻き付け部において、積載板に巻き付けられた内装紙の短辺部を内側に折り込む際、長辺部を上方に引っ張り、内装紙の長辺部にテンションを与えながら、内装紙の短辺部を内側に折り込む。これにより、内装紙の短辺部を安定して内側に折り込むことができる。
【００１７】
請求項４に係る発明は、前記目的を達成するために、矩形状の積載板の上に積載された平版印刷版の積層束に対して、巻き付け部で前記積載板の周りに帯状の内装紙を巻き付けた後、搬送手段で折り畳み部に搬送し、該折り畳み部で前記内装紙の短辺部と長辺部を内側に折り畳むことにより、前記平版印刷版を前記内装紙で包装する平版印刷版の包装装置において、前記巻き付け部には、前記積載板の周りに巻き付けられた前記内装紙の短辺部を内側に折り込む折り込み手段が備えられていることを特徴とする平版印刷版の包装装置を提供する。
【００１８】
請求項４に係る発明によれば、積載板の周りに巻き付けられた内装紙の短辺部を内側に折り込む折り込み手段が巻き付け部に備えられている。平版印刷版の積層束は、積載板の周りに内装紙が巻き付けられた後、その折り込み手段によって積載板の周りに巻き付けられた内装紙の短辺部が内側に折り込まれる。そして、その内装紙の短辺部が内側に折り込まれた状態で折り畳み部に搬送される。このように、あらかじめ巻き付け部で内装紙の短辺部を内側に折り込み、この状態で平版印刷版を折り畳み部に搬送することにより、搬送時における内装紙の姿勢が安定する。これにより、折り畳み部において安定した折り畳み処理を行うことができる。
【００１９】
請求項５に係る発明は、前記目的を達成するために、前記折り込み手段は、前記積載板の四隅に垂直に立てられて、前記内装紙が前記積載板に巻き付けられるようにガイドするとともに、上下及び前記積載板の長辺方向に移動自在に設けられた柱状のガイド部材と、前記ガイド部材に巻き掛けられた前記内装紙の短辺部を前記ガイド部材に押し当てる押圧部材と、を備え、前記積載板の四隅に前記ガイド部材を垂直に立て、該ガイド部材で前記内装紙をガイドしながら前記積載板の周りに巻き付けた後、前記押圧部材で前記内装紙の短辺部を前記ガイド部材に押し当てながら、前記ガイド部材を前記積載板の長辺に沿って移動させることにより、前記内装紙の短辺部を内側に折り込むことを特徴とする請求項４に記載の平版印刷版の包装装置を提供する。
【００２０】
請求項５に係る発明によれば、内装紙は、積載板の四隅に立てられた柱状のガイド部材にガイドされながら積載板の周りに巻き付けられる。短辺部の折り込みは、このガイド部材を利用して行われ、押圧部材によって内装紙の短辺部をガイド部材に押し当てながら、ガイド部材を積載板の長辺に沿って移動させることにより、内装紙の短辺部が内側に折り込まれる。これにより、積載板に巻き付けられた内装紙の短辺部を折り畳み部に搬送する前に効率よく折り込むことができる。
【００２１】
請求項６に係る発明は、前記目的を達成するために、前記巻き付け部には、前記積載板に巻き付けられた前記内装紙の長辺部を上方に引っ張り、前記内装紙にテンションを与える引張手段を備え、該引張手段で前記積載板に巻き付けられた前記内装紙の長辺部を上方に引っ張り、前記内装紙の長辺部にテンションを与えながら、前記押圧部材で前記内装紙の短辺部が押し当てられた前記ガイド部材を前記積載板の長辺に沿って移動させることにより、前記内装紙の短辺部を内側に折り込むことを特徴とする請求項５に記載の平版印刷版の包装装置を提供する。
【００２２】
請求項６に係る発明によれば、巻き付け部には、積載板に巻き付けられた内装紙の長辺部を上方に引っ張り、内装紙にテンションを与える引張手段が備えられている。内装紙の短辺部を内側に折り込む際には、この引張手段によって内装紙の長辺部を上方に引っ張り、内装紙の長辺部にテンションを与えながら、内装紙の短辺部を内側に折り込む。これにより、内装紙の短辺部を安定して内側に折り込むことができる。
【発明の効果】
【００２３】
本発明に係る平版印刷版の包装方法及び装置によれば、安定した包装処理を行うことができる。
【発明を実施するための最良の形態】
【００２４】
以下、添付図面に従って本発明に係る平版印刷版の包装方法及び装置の好ましい実施態様について説明する。
【００２５】
平版印刷版は、一般に帯状に形成されたアルミニウム板等の支持体の表面に所要の表面処理を施し、その表面処理が施された面に感光層又は感熱層を塗布形成し、乾燥させた後、所望のサイズに切断することで製造される。製造された平版印刷版は、所定枚数集積され、積層束の状態で内装紙に包装されて出荷される。
【００２６】
図１は、スキッド上に集積された平版印刷版の外観図である。同図に示すように、平版印刷版１０は、スキッド１の上にセットされた積載板２の上に所定枚数分集積され、積層束２０となった状態で内装紙に包装される。
【００２７】
なお、同図に示す積層束２０は、表面に合紙１２が貼り合わされた平版印刷版１０を集積して生成した場合を示している。この場合、上下の平版印刷版１０の間には、合紙１２が配置される。合紙１２は、必ずしも必要なものではなく、平版印刷版１０だけで積層束２０が構成される場合もある。
【００２８】
また、同図に示す積層束２０は、上面及び下面に保護用厚紙１４を配置した場合を示しており、必要に応じて、このような保護用厚紙１４が上面及び下面に配置される。
【００２９】
一つの積層束２０を構成する平版印刷版１０の数は、特に限定されないが、たとえば、運搬や保管の効率化、自動製版機へ装填可能枚数等の観点から１０枚〜５００枚とすることができる。なお、このように１０枚〜５００枚の平版印刷版によって積層束を構成した場合には、平版印刷版と保護用厚紙とがずれないようにするため、積層束を粘着テープ等の固定手段で固定することが好ましい。また、更に多くの平版印刷版によって積層束を構成することもできる。たとえば、平版印刷版の枚数を最大で６５００枚程度とし、平版印刷版を２０〜５００枚積み重ねるたびに保護用厚紙を入れるようにしてもよい。また、平版印刷版の枚数を最大で６５００枚程度とし、その上下にのみ保護用厚紙を配置するようにしてもよい。
【００３０】
積載板２は、たとえば、所定厚さを有する塩化ビニル製の板で構成されており、積載される平版印刷版よりも若干大きめに形成されている。
【００３１】
また、スキッド１は、たとえば鉄製のフレームの上にベニヤ板を載置して構成されており、所定の運搬装置（たとえば、フォークリフト等）で運搬可能に形成されている。
【００３２】
このように、スキッド１に平積みされた平版印刷版１０は、積載板２の周りに内装紙を巻き付け、巻き付けた内装紙の長辺部及び短辺部を折り畳むことにより、内装紙に一括包装される。
【００３３】
ここで、この包装工程における内装紙の巻き付け、折り畳みの各処理は、それぞれ別々に行われ、巻き付け部で内装紙の巻き付けを行った後、折り畳み部に搬送し、折り畳み部で内装紙の折り畳みを行う。
【００３４】
そして、本実施の形態の包装方法では、巻き付け部で内装紙の巻き付けを行った後、折り畳み部に搬送する前、あらかじめ内装紙の短辺部を内側に折り込み、内装紙の姿勢を安定させた状態で折り畳み部に搬送し、折り畳み部で内装紙の折り畳みを行う。
【００３５】
以下、図２及び図３に基づいて本実施の形態の包装方法を説明する。
【００３６】
図２は、巻き付け部における処理の手順を示す図であり、図３は、折り畳み部における処理の手順を示す図である。
【００３７】
図２に示すように、巻き付け部では、スキッド１の上にセットされた積載板２の周囲に内装紙３０を巻き付ける。
【００３８】
内装紙３０は、帯状に形成されており、ロール状に巻回されて図示しない供給機から供給される。この内装紙３０の下縁部内側には、積載板２の板厚とほぼ同じ幅の両面テープ３２が貼着されており、この両面テープ３２を積載板２の外周面に貼り着けることにより、内装紙３０が積載板２の周囲に巻き付けられる。
【００３９】
なお、この内装紙３０の幅は、積載板２に巻き付けた内装紙３０の長辺部３０Ｌ、３０Ｌを内側に折り畳んだ際、その長辺部３０Ｌ、３０Ｌの先端が互いに所定量重なり合うような幅をもって形成され、包装する積載束２０の寸法等に応じて設定される。たとえば、新聞４頁サイズ（８００×１１００ｍｍ）の平版印刷版に対して高さ７５〜９１ｍｍの積層束を形成した場合、内装紙の幅は５４５ｍｍに設定される。
【００４０】
また、この内装紙としては、たとえば、クラフト紙にアルミニウム箔を貼り合わせたアルミクラフト紙や、このアルミクラフト紙のアルミニウム箔上にポリエチレンを貼り合わせたもの、さらに、このポリエチレンに黒ポリエチレンフィルムを貼り合わせたものなどが用いられる。また、クラフト紙にアルミ蒸着ＰＥＴフィルムを貼り合わせたものや、カーボンブラックを含有した接着剤でクラフト紙にアルミ蒸着ＰＥＴフィルムを貼り合わせたもの、貼着面が黒色に印刷されたアルミ蒸着ＰＥＴフィルムをクラフト紙に貼り合わせたものなどが用いられる。
【００４１】
また、内装紙３０の下縁部外側には、必要に応じて補強テープが貼着される。
【００４２】
内装紙３０の巻き付けは、図２（ａ）に示すように、たとえば積載板２の一方側の長辺部のほぼ中央の位置から開始する。そして、図２（ｂ）に示すように、所定量オーバーラップさせて巻き終わる。巻き終わった内装紙３０は、幅方向に切断され、オーバーラップ部分３４がホットメルトなどの接着手段によって接着される。これにより、内装紙３０は、四角い筒状の巻き姿で積載板２に巻き付けられる。
【００４３】
この後、平版印刷版の積層束２０は、図２（ｃ）に示すように、積載板２に巻き付けられた内装紙３０の短辺部３０Ｓ、３０Ｓが互いに内側に折り込まれ、この状態で折り畳み部に搬送される。
【００４４】
搬送は、たとえば自走式の台車等で行われる。この際、内装紙３０は、短辺部３０Ｓ、３０Ｓが折り畳まれた状態にあるため、姿が安定し、一定の状態を保って折り畳み部に搬送することができる。
【００４５】
折り畳み部では、図３（ａ）に示すように、内装紙３０の短辺部３０Ｓ、３０Ｓが互いに内側に折り込まれた状態の平版印刷版の積層束２０を受入れる。そして、図３（ｂ）に示すように、まず、そのあらかじめ折り込まれた内装紙３０の短辺部３０Ｓ、３０Ｓを正確に内側に折り畳む。次いで、図３（ｃ）に示すように、内装紙３０の長辺部３０Ｌ、３０Ｌを折り畳み、重なり合った長辺部３０Ｌ、３０Ｌの先端を粘着テープ４０で貼り着ける。
【００４６】
以上一連の工程で平版印刷版の包装が完了し、平版印刷版が積層束２０の状態で内装紙３０に一括包装される。
【００４７】
このように、本実施の形態の包装方法では、巻き付け部で内装紙３０の巻き付けが完了した平版印刷版の積層束２０に対して内装紙３０の短辺部３０Ｓ、３０Ｓをあらかじめ内側に折り込み、この状態で折り畳み部に搬送する。これにより、搬送中の内装紙３０の巻き姿が安定し、折り畳み部において常に一定の状態、すなわち内装紙３０の短辺部３０Ｓ、３０Ｓが内側に折り込まれた状態で平版印刷版の積層束２０を受け取ることができる。この結果、折り畳み部では常に安定した折り畳み処理を行うことができる。
【００４８】
図４は、巻き付け部の概略構成図である。同図に示すように、巻き付け部１００は、回転ステージ１０２、ガイドプレート１０４Ａ〜１０４Ｄ、短辺ニップ装置１０６Ａ〜１０６Ｄ、長辺ニップ装置１０８Ａ、１０８Ｂを備えてなり、図示しない内装紙ロールから繰り出された内装紙３０を積載板２の周囲に巻き付ける。
【００４９】
回転ステージ１０２は、図示しない回転駆動手段に駆動されて回転し、その上にセットされたスキッド１を回転させる。
【００５０】
ガイドプレート１０４Ａ〜１０４Ｄは、断面が長方形の角柱に形成されており、図示しない駆動手段に駆動されて前後（図中ｙ方向）、左右（図中ｘ方向）、上下（図中ｚ方向）に移動可能に設けられるとともに、回転ステージ１０２とともに回転可能に設けられている。このガイドプレート１０４Ａ〜１０４Ｄは、幅広の面が積載板２の短辺と平行になるようにして、積載板２の四隅に垂直に立てられ、内装紙３０の巻き付けをガイドする。また、次の短辺ニップ装置１０６Ａ〜１０６Ｄと協働して、積載板２の周囲に巻き付けられた内装紙３０の短辺部３０Ｓ、３０Ｓを内側に折り込む。この点については、後に詳述する。
【００５１】
短辺ニップ装置１０６Ａ〜１０６Ｄは、積載板２の周囲に巻き付けられた内装紙３０の短辺部３０Ｓ、３０Ｓをガイドプレート１０４Ａ〜１０４Ｄに押し当てる。この短辺ニップ装置１０６Ａ〜１０６Ｄは、各ガイドプレート１０４Ａ〜１０４Ｄに設けられており、各ガイドプレート１０４Ａ〜１０４Ｄの幅広の面に対向して設けられた短辺押圧プレート１１０Ａ〜１１０Ｄと、その短辺押圧プレート１１０Ａ〜１１０Ｄをガイドプレート１０４Ａ〜１０４Ｄに対して進退移動させる短辺押圧シリンダ１１２Ａ〜１１２Ｄとで構成されている。そして、図示しない駆動手段に駆動されて前後（図中ｙ方向）、左右（図中ｘ方向）、上下（図中ｚ方向）に移動可能に設けられるとともに、回転ステージ１０２とともに回転可能に設けられている。
【００５２】
このように構成された短辺ニップ装置１０６Ａ〜１０６Ｄは、短辺押圧シリンダ１１２Ａ〜１１２Ｄを駆動して、短辺押圧プレート１１０Ａ〜１１０Ｄをガイドプレート１０４Ａ〜１０４Ｄに向けて移動させることにより、積載板２の周囲に巻き付けられた内装紙３０の短辺部３０Ｓ、３０Ｓを短辺押圧プレート１１０Ａ〜１１０Ｄによってガイドプレート１０４Ａ〜１０４Ｄに押し当てる。
【００５３】
長辺ニップ装置１０８Ａ、１０８Ｂは、内装紙３０の短辺部３０Ｓ、３０Ｓの折り込み時に内装紙３０の長辺部３０Ｌ、３０Ｌを上方に引っ張り、内装紙３０の長辺部３０Ｌ、３０Ｌに張力を与える。この長辺ニップ装置１０８Ａ、１０８Ｂは、積載板２の長辺と平行に設けられた受け板１１４Ａ、１１４Ｂと、その受け板１１４Ａ、１１４Ｂに対向して設けられた長辺押圧プレート１１６Ａ、１１６Ｂと、その長辺押圧プレート１１６Ａ、１１６Ｂを受け板１１４Ａ、１１４Ｂに対して進退移動させる長辺押圧シリンダ１１８Ａ、１１８Ｂとで構成されている。そして、図示しない駆動手段に駆動されて前後（図中ｙ方向）、左右（図中ｘ方向）、上下（図中ｚ方向）に移動可能に設けられるとともに、回転ステージ１０２とともに回転可能に設けられている。
【００５４】
このように構成された長辺ニップ装置１０８Ａ、１０８Ｂは、長辺押圧シリンダ１１８Ａ、１１８Ｂを駆動して、長辺押圧プレート１１６Ａ、１１６Ｂを受け板１１４Ａ、１１４Ｂに向けて移動させることにより、積載板２の周囲に巻き付けられた内装紙３０の長辺部３０Ｌ、３０Ｌを挟持する。そして、この長辺部３０Ｌ、３０Ｌを挟持した状態で所定量上方に移動することにより、長辺部３０Ｌ、３０Ｌを上方に引っ張り上げて、長辺部３０Ｌ、３０Ｌに張力を与える。
【００５５】
以上のように構成された巻き付け部１００による内装紙３０の巻き付け手順は、次のとおりである。
【００５６】
まず、図５に示すように、回転ステージ１０２にセットされたスキッド１に対して４本のガイドプレート１０４Ａ〜１０４Ｄを位置決めして設置する。すなわち、スキッド１の上にセットされた積載板２の四隅にそれぞれ幅広の面が積載板２の短辺と平行になるようにセットする。
【００５７】
このようにガイドプレート１０４Ａ〜１０４Ｄを積載板２の四隅に立ててセットした後、図示しない内装紙ロールから繰り出された内装紙３０の先端を積載板２の一方側の長辺部のほぼ中央位置に貼り合わせる。
【００５８】
この際、内装紙３０は、ガイドローラ１２２を介して積載板２まで導かれ、貼着ローラ１２０によって積載板２の周面に押し当てられて、積載板２に貼り着けられる。
【００５９】
先端部が積載板２に貼り着けられた内装紙３０は、回転ステージ１０２が回転することにより、積載板２の周面に巻き付けられる。この際、貼着ローラ１２０は、積載板２の周面に倣って移動し、内装紙３０を積載板２の周面に常に押し当てるように作用する。
【００６０】
なお、上記のように、内装紙３０は、巻き終わりの部分が所定量オーバーラップされて積載板２に巻き付けられ、そのオーバーラップ部分をホットメルトなどの接着手段によって貼り合わされる。
【００６１】
また、このように巻き付けられた内装紙３０は、図示しない押圧ローラが積載板２の周面に沿って転動することにより、積載板２の周面に押し付けられ、強固に貼り着けられる。
【００６２】
内装紙３０の巻き付けが完了すると、ガイドプレート１０４Ａ〜１０４Ｄが所定高さの位置（積層束２０のやや上側の位置）まで上昇するとともに、短辺ニップ装置１０６Ａ〜１０６Ｄが、所定の押圧開始位置に移動し、短辺押圧プレート１１０Ａによって内装紙３０の短辺部３０Ｓ、３０Ｓをガイドプレート１０４Ａ〜１０４Ｄに押し当てる。
【００６３】
また、長辺ニップ装置１０８Ａ、１０８Ｂが、所定の挟持位置に移動し、内装紙３０の長辺部３０Ｌ、３０Ｌのほぼ中央位置を挟持して、上方に引っ張りあげる。
【００６４】
図６は、内装紙の巻き付け完了後の巻き付け部の状態を示す平面図である。同図に示すように、内装紙３０は、その短辺部３０Ｓ、３０Ｓが、短辺ニップ装置１０６Ａ〜１０６Ｄの短辺押圧プレート１１０Ａ〜１１０Ｂによってガイドプレート１０４Ａ〜１０４Ｄに押し当てられる（内装紙３０が、ガイドプレート１０４Ａ〜１０４Ｄと短辺押圧プレート１１０Ａ〜１１０Ｂとの間を摺動可能な押圧力をもって押し当てられる）。また、その長辺部３０Ｌ、３０Ｌが長辺ニップ装置１０８Ａ、１０８Ｂの長辺押圧プレート１１６Ａ、１１６Ｂと受け板１１４Ａ、１１４Ｂとに挟持されて、上方に引っ張りあげられる。
【００６５】
この後、ガイドプレート１０４Ａ〜１０４Ｄと短辺ニップ装置１０６Ａ〜１０６Ｄは、内装紙３０の短辺部３０Ｓ、３０Ｓを短辺押圧プレート１１０Ａ〜１１０Ｂによってガイドプレート１０４Ａ〜１０４Ｄに押し付けた状態で積載板２の長辺に沿って互いに内側に移動する（対向する組み合わせ同士が互いに近づく方向に移動する）。
【００６６】
この結果、図７（ａ）〜（ｃ）に示すように、内装紙３０の短辺部３０Ｓ、３０Ｓが、徐々に内側に折り込まれる。
【００６７】
ガイドプレート１０４Ａ〜１０４Ｄと短辺ニップ装置１０６Ａ〜１０６Ｄは、所定の終点位置まで移動すると停止する。そして、ガイドプレート１０４Ａ〜１０４Ｄと短辺ニップ装置１０６Ａ〜１０６Ｄの移動が停止すると、短辺ニップ装置１０６Ａ〜１０６Ｄによる短辺部３０Ｓ、３０Ｓの押圧が解除され、これと同時に長辺ニップ装置１０８Ａ、１０８Ｂによる長辺部３０Ｌ、３０Ｌの挟持も解除される。
【００６８】
この後、ガイドプレート１０４Ａ〜１０４Ｄ、短辺ニップ装置１０６Ａ〜１０６Ｄ、長辺ニップ装置１０８Ａ、１０８Ｂは、それぞれ所定の待機位置まで上昇し、積載板２に巻き付けられた内装紙３０から上方に退避する。
【００６９】
これにより、図７（ｄ）に示すように、積載板２に巻き付けられた内装紙３０は、短辺部３０Ｓ、３０Ｓが内側に折り畳まれ、長辺部３０Ｌ、３０Ｌが外側に広がった状態となり、この状態で折り畳み部に搬送される。
【００７０】
このように上記構成の巻き付け部１００によれば、ガイドプレート１０４Ａ〜１０４Ｄを内装紙３０の巻き付けのガイドに利用するとともに、内装紙３０の折り込みのガイドに利用することにより、内装紙３０の巻き付け、及び、短辺部３０Ｓ、３０Ｓの折り込みを効率よく行うことができる。
【００７１】
また、長辺ニップ装置１０８Ａ、１０８Ｂによって長辺部３０Ｌ、３０Ｌに張力を与えながら短辺部３０Ｓ、３０Ｓの折り込みを行うことにより、安定した形状で内装紙３０の短辺部３０Ｓ、３０Ｓが内側に折り込まれる。
【００７２】
なお、本実施の形態では、ガイドプレート１０４Ａ〜１０４Ｄと短辺ニップ装置１０６Ａ〜１０６Ｄとを利用して短辺部３０Ｓ、３０Ｓの折り込み処理を行っているが、積載板２に巻き付けられた内装紙３０の短辺部３０Ｓ、３０Ｓを内側に折り込む手段は、これに限定されるものではない。
【００７３】
図８は、折り畳み部の概略構成図である。同図に示すように、折り畳み部２００は、一対の長辺折り畳み手段２０２、２０２と、一対の短辺折り畳み手段２０４、２０４とを備えてなる。
【００７４】
一対の長辺折り畳み手段２０２、２０２は、内装紙３０の長辺部３０Ｌとほぼ同じ横幅を有する長方形の板材で構成されており、所定の間隔をもって互いに対向するように配置されている。
【００７５】
この一対の長辺折り畳み手段２０２、２０２は、それぞれ図示しない駆動手段に駆動されて図中ｘ方向に進退移動自在に設けられており、その間隔を調整可能に設けられている。
【００７６】
また、この一対の長辺折り畳み手段２０２、２０２は、それぞれ図示しない駆動手段に駆動されて揺動自在に設けられており、内側に揺動することにより、内装紙３０の長辺部３０Ｌ、３０Ｌを内側に折り畳み可能に形成されている。
【００７７】
一対の短辺折り畳み手段２０４、２０４は、一組の長方形の板材２０４Ａ、２０４Ｂで構成されており、所定の間隔をもって互いに対向するように配置されている。この一対の短辺折り畳み手段２０４、２０４は、それぞれ図示しない駆動手段に駆動されて図中ｙ方向に進退移動自在に設けられており、その間隔を調整可能に設けられている。
【００７８】
また、この一対の短辺折り畳み手段２０４、２０４を構成する一組の板材２０４Ａ、２０４Ｂは、それぞれ図示しない駆動手段に駆動されて揺動自在に設けられており、内側に揺動することにより、内装紙３０の短辺部３０Ｓ、３０Ｓを内側に折り畳み可能に形成されている。
【００７９】
また、この一組の板材２０４Ａ、２０４Ｂは、それぞれ図示しない駆動手段に駆動されて図中ｘ方向に移動自在に設けられており、内装紙３０の短辺部３０Ｓ、３０Ｓを折り畳み後、図中ｘ方向に移動することにより、内装紙３０に短辺部３０Ｓ、３０Ｓに折り癖を付ける。
【００８０】
以上のように構成された折り畳み部による内装紙３０の折り畳み手順は次のとおりである。
【００８１】
上記のように、積載板２に内装紙３０が巻き付けられた平版印刷版の積層束２０は、内装紙３０の短辺部３０Ｓ、３０Ｓが内側に折り込まれた状態で折り畳み部２００に搬送される。
【００８２】
平版印刷版の積層束２０が折り畳み部２００に搬送されると、図９に示すように、一対の長辺折り畳み手段２０２、２０２が直立状態で内装紙３０の長辺部３０Ｌ、３０Ｌに向けて前進し、その長辺部３０Ｌ、３０Ｌにあてがわれる。
【００８３】
また、一対の短辺折り畳み手段２０４、２０４が、その板材２０４Ａ、２０４Ｂを直立させた状態で内装紙３０の短辺部３０Ｓ、３０Ｓに向けて前進し、その短辺部３０Ｓ、３０Ｓに板材２０４Ａ、２０４Ｂがあてがわれる。
【００８４】
長辺部３０Ｌ、３０Ｌに長辺折り畳み手段２０２、２０２があてがわれ、短辺部３０Ｓ、３０Ｓに短辺折り畳み手段２０４、２０４の板材２０４Ａ、２０４Ｂがあてがわれると、短辺折り畳み手段２０４、２０４の板材２０４Ａ、２０４Ｂが内側に向けて揺動し、内装紙３０の短辺部３０Ｓ、３０Ｓが内側に折り込まれる。この後、短辺折り畳み手段２０４、２０４の板材２０４Ａ、２０４Ｂは、図中ｘ方向に沿って移動し、互いに離れる方向移動する。この結果、内装紙３０の短辺部３０Ｓ、３０Ｓが内側に折り込まれる。
【００８５】
内装紙３０の短辺部３０Ｓ、３０Ｓが内側に折り込まれると、短辺折り畳み手段２０４、２０４は後退し、内装紙３０の短辺部３０Ｓ、３０Ｓから退避する。
【００８６】
この後、長辺折り込み手段２０２、２０２が内側に向けて揺動し、この結果、内装紙３０の長辺部３０Ｌ、３０Ｌが折り畳まれる。
【００８７】
長辺部３０Ｌ、３０Ｌが折り畳まれた内装紙３０は、その長辺部３０Ｌ、３０Ｌの先端が互いに重なり合い、この重なり合った長辺部３０Ｌ、３０Ｌの先端が粘着テープで止められて、包装が完了する。なお、粘着テープの貼着は、折り畳み部２００に設置された図示しないテープ貼着手段によって行われる。
【００８８】
このように上記構成の折り畳み部２００では、内装紙３０の短辺部３０Ｓ、３０Ｓの折り畳みを行った後、長辺部３０Ｌ、３０Ｌの折り畳みを行って、内装紙３０の折り畳みを行うが、あらかじめ内装紙３０の短辺部３０Ｓ、３０Ｓが内側に折り込まれた状態で搬送されてくるため、内装紙３０の折り畳み処理を確実に行うことができる。
【００８９】
なお、巻き付け部１００から折り畳み部２００に平版印刷版の積層束２０を搬送する搬送手段の構成については、特に限定されないが、巻き付け部１００の回転ステージ１０２を移動可能に構成し、回転ステージごと折り畳み部２００に搬送できるようにすることにより、乗せ変え等の手間を省け、効率よく包装処理を行うことができる。
【００９０】
この他、自走式の搬送台車で巻き付け部１００から折り畳み部２００に平版印刷版の積層束２０を搬送するようにしてもよいし、フォークリフト等で搬送するようにしてもよい。
【００９１】
また、上記実施の形態では、積載板に載置された平版印刷版の積層束を内装紙で包装する場合について説明したが、本発明の適用は、これに限定されるものではなく、たとえば、内装紙で包装された平版印刷版の積層束を積載板の上に複数個集積し、これを更に内装紙で包装する場合にも適用することができる。
【図面の簡単な説明】
【００９２】
【図１】スキッド上に集積された平版印刷版の外観図
【図２】巻き付け部における処理の手順を示す図
【図３】折り畳み部における処理の手順を示す図
【図４】巻き付け部の概略構成図
【図５】内装紙の巻き付け方法の説明図
【図６】内装紙の巻き付け完了後の巻き付け部の状態を示す平面図
【図７】巻き付け部における内装紙の短辺部の折り込み手順を示す図
【図８】折り畳み部の概略構成図
【図９】折り畳み部における内装紙の折り畳み手順を示す図
【図１０】平版印刷版の包装例を示す図
【符号の説明】
【００９３】
１…スキッド、２…積載板、１０…平版印刷版、２０…積層束、３０…内装紙、３０Ｓ…内装紙の短辺部、３０Ｌ…内装紙の長辺部、３２…両面テープ、１００…巻き付け部、１０２…回転ステージ、１０４Ａ〜１０４Ｄ…ガイドプレート、１０６Ａ〜１０６Ｄ…短辺ニップ装置、１０８Ａ、１０８Ｂ…長辺ニップ装置、１１０Ａ〜１１０Ｄ…短辺押圧プレート、１１２Ａ〜１１２Ｄ…短辺押圧シリンダ、１１４Ａ、１１４Ｂ…受け板、１１６Ａ、１１６Ｂ…長辺押圧プレート、１１８Ａ、１１８Ｂ…長辺押圧シリンダ、１２０…貼着ローラ、１２２…ガイドローラ、２００…折り畳み部、２０２…長辺折り畳み手段、２０４…短辺折り畳み手段、２０４Ａ、２０４Ｂ…板材
【図１】
2007238146.tif 000003
【図２】
2007238146.tif 000004
【図３】
2007238146.tif 000005
【図４】
2007238146.tif 000006
【図５】
2007238146.tif 000007
【図６】
2007238146.tif 000008
【図７】
2007238146.tif 000009
【図８】
2007238146.tif 000010
【図９】
2007238146.tif 000011
【図１０】
2007238146.tif 000012